(57)【要約】【課題】本発明は、ダクト内に生じる偏流の影響による圧力検出精度の低下が抑制された圧力検出装置を提供することを目的とする。【解決手段】風圧センサ９０は、給気ダクト３０の延びる方向Ｄに直交する方向Ｐに挿入される先端９０ａ側が閉じられた筒状部材９１と、筒状部材９１の長手方向に所定間隔をあけて形成され、給気ダクト３０を流通する気体の一部を該筒状部材９１の内部に導入する複数の開孔Ｒ１からＲ９と、筒状部材９１の基端９０ｂ側に接続され、複数の開孔Ｒ１からＲ９から該筒状部材９１の内部に導入された気体の圧力を検出する圧力検出部９５と、を備える。【選択図】図２
2015102262.tif 000002
【特許請求の範囲】
【請求項１】
内部に所定の開度で開閉可能なダンパが配置された気体が流通するダクトにおける前記ダンパの下流側の気体の圧力を測定する圧力測定装置であって、
前記ダクトの延びる方向に直交する方向に挿入される先端側が閉じられた筒状部材と、
前記筒状部材の長手方向に所定間隔をあけて形成され、前記ダクトを流通する気体の一部を該筒状部材の内部に導入する複数の開孔と、
前記筒状部材の基端側に接続され、前記複数の開孔から該筒状部材の内部に導入された気体の圧力を検出する圧力検出部と、を備える圧力測定装置。
【請求項２】
前記筒状部材は、前記ダクトの中心軸を通って挿入され、前記複数の開孔は、等間隔に形成される請求項１に記載の圧力測定装置。
【請求項３】
缶体と、
前記缶体に燃焼用空気を供給する送風機と、
前記缶体と前記送風機とを接続し、前記送風機から供給される燃焼用空気が流通するダクトと、
前記ダクトの内部に配置され所定の開度で開閉可能なダンパと、
請求項１又は２に記載の圧力測定装置と、を備えるボイラ。
【請求項４】
前記ダクトにおける前記ダンパの下流側に配置される圧力損失部を更に備え、
前記圧力測定装置は、前記圧力損失部の上流側及び下流側にそれぞれ配置される請求項３に記載のボイラ。
【発明の詳細な説明】
【技術分野】
【０００１】
本発明は、ダクト内における気体の圧力を測定する圧力測定装置、及び該圧力測定装置を備えるボイラに関する。
【背景技術】
【０００２】
従来、燃料を燃焼させるバーナと、このバーナに燃料を供給する燃料供給装置と、バーナに燃焼用空気を供給する送風機と、を備え、複数の燃焼状態（燃焼率）で燃焼されるボイラにおいては、燃焼率に応じて燃焼に必要とされる空気の量が異なる。そこで、送風機を、ファンと、このファンを回転させるモータと、このモータの駆動（回転速度）を可変させるインバータと、を含んで構成し、燃焼率に応じてモータ（ファン）の回転速度を増減させることで適切な量の燃焼用空気をバーナに供給する技術が用いられている。
【０００３】
また、このようなボイラにおいて、燃焼率に応じて適切な量の空気が供給されているか否かを判定する技術が用いられている（例えば、特許文献１参照）。具体的には、燃焼用空気を送る送風機の吐出風圧を風圧センサによって検出し、風圧センサの出力信号から、高燃焼あるいは低燃焼に適切な空気量となったことが判定された場合に、燃焼率に応じた燃料供給量に制御される。
【先行技術文献】
【特許文献】
【０００４】
【特許文献１】特開平８−１７８２７１号公報
【発明の概要】
【発明が解決しようとする課題】
【０００５】
しかし、ダクト内の開閉ダンパにより燃焼用空気の量を調整するボイラにおいて、開閉ダンパにおける開閉度に応じて偏流が変化するため、風圧センサにおける検出精度が低下する場合がある。その場合、ボイラは、燃焼率に応じた適切な量の燃焼用空気をバーナ供給できない場合がある。
【０００６】
従って、本発明は、ダクト内に生じる偏流の影響による圧力検出精度の低下が抑制された圧力検出装置を提供することを目的とする。
また、本発明は、上記圧力検出装置を備えるボイラを提供することを目的とする。
【課題を解決するための手段】
【０００７】
本発明は、内部に所定の開度で開閉可能なダンパが配置された気体が流通するダクトにおける前記ダンパの下流側の気体の圧力を測定する圧力測定装置であって、前記ダクトの延びる方向に直交する方向に挿入される先端側が閉じられた筒状部材と、前記筒状部材の長手方向に所定間隔をあけて形成され、前記ダクトを流通する気体の一部を該筒状部材の内部に導入する複数の開孔と、前記筒状部材の基端側に接続され、前記複数の開孔から該筒状部材の内部に導入された気体の圧力を検出する圧力検出部と、を備える圧力測定装置に関する。
【０００８】
また、圧力測定装置において、前記筒状部材は、前記ダクトの中心軸を通って挿入され、前記複数の開孔は、等間隔に形成されることが好ましい。
【０００９】
また、本発明は、缶体と、前記缶体に燃焼用空気を供給する送風機と、前記缶体と前記送風機とを接続し、前記送風機から供給される燃焼用空気が流通するダクトと、前記ダクトの内部に配置され所定の開度で開閉可能なダンパと、上記圧力測定装置と、を備えるボイラに関する。
【００１０】
また、ボイラにおいて、前記ダクトにおける前記ダンパの下流側に配置される圧力損失部を更に備え、前記圧力測定装置は、前記圧力損失部の上流側及び下流側にそれぞれ配置されることが好ましい。
【発明の効果】
【００１１】
本発明の圧力測定装置によれば、ダクト内に生じる偏流の影響による圧力検出精度の低下を抑制できる。また、本発明のボイラによれば、ダクト内に生じる偏流の影響による圧力検出精度の低下を抑制できる。
【図面の簡単な説明】
【００１２】
【図１】第１実施形態におけるボイラを模式的に示す図である。
【図２】図１における領域Ｘを説明する図である。
【図３】一つの開孔を有する場合におけるダンパ開度と差圧との関係を示すグラフである。
【図４】複数の開孔を有する場合におけるダンパ開度と差圧との関係を示すグラフである。
【図５】第２実施形態におけるボイラを模式的に示す図である。
【図６】第３実施形態におけるボイラを模式的に示す図である。
【発明を実施するための形態】
【００１３】
以下、本発明のボイラの好ましい一実施形態である第１実施形態について図面を参照しながら説明する。
本実施形態のボイラ１は、水を加熱して蒸気を生成する蒸気ボイラである。このボイラ１は、図１に示すように、缶体１０と、缶体１０に燃焼用空気を送り込む送風機２０と、缶体１０と送風機２０とを接続し燃焼用空気が流通する給気ダクト３０と、給気ダクト３０に配置されるダンパ４０と、給気ダクト３０に燃料ガスを供給する燃料供給装置５０と、缶体１０から排出される燃焼ガスが流通する排気筒６０と、缶体１０に水を供給する給水路（図示せず）と、ボイラ１の燃焼状態を制御する制御装置７０と、上部ヘッダ１４内の蒸気圧を検出する蒸気圧センサ８０と、給気ダクト３０内における圧力損失部３１（後述）の上流側の風圧を検出する圧力測定装置としての風圧センサ９０と、給気ダクト３０内における圧力損失部３１の下流側の風圧を検出する圧力測定装置としての風圧センサ１００と、を備える。
【００１４】
缶体１０は、図１に示すように、ボイラ筐体１１と、複数の水管１２と、下部ヘッダ１３と、上部ヘッダ１４と、バーナ１５と、を備える。
ボイラ筐体１１は、缶体１０の外形を構成し、平面視矩形形状の直方体状に形成される。このボイラ筐体１１の長手方向の一端側に位置する第１側面１１ａには、給気口１６が形成され、ボイラ筐体１１の長手方向の他端側に位置する第２側面１１ｂには、排気口１７が形成される。
【００１５】
複数の水管１２は、ボイラ筐体１１の内部に上下方向に延びて配置されると共に、ボイラ筐体１１の長手方向及び幅方向に所定の間隔をあけて配置される。
下部ヘッダ１３は、ボイラ筐体１１の下部に配置される。下部ヘッダ１３には、複数の水管１２の下端部が接続される。
【００１６】
上部ヘッダ１４は、ボイラ筐体１１の上部に配置される。上部ヘッダ１４には、複数の水管１２の上端部が接続される。
バーナ１５は、給気口１６に配置される。
【００１７】
送風機２０は、ファン及びこのファンを回転させるモータを有する送風機本体２１と、ファン（モータ）の回転数を増減させるインバータ２２と、を備える。送風機２０は、インバータ２２に入力される周波数に応じて、ファンが所定の回転数で回転することで、缶体１０に燃焼用空気を送り込む。
【００１８】
給気ダクト３０は、上流側の端部が送風機２０に接続され、下流側の端部が給気口１８に接続される。給気ダクト３０は、送風機２０から送り込まれた燃焼用空気を缶体１０に供給する。給気ダクト３０内のダンパ４０よりも下流側には、圧力損失部３１が配置されている。圧力損失部３１は、給気ダクト３０内において、ダンパ４０を通過した燃焼用空気に圧力の損失を与える構造を有している。圧力損失部３１は、例えば、貫通孔が形成された金属板（パンチングメタル）あるいはオリフィス等の部材を給気ダクト３０内に設置したり、給気ダクト３０の一部の内径を縮小する等、管内の抵抗を高める構造を形成したりすることによって構成することができる。
ダンパ４０は、給気ダクト３０の内部の燃焼用空気の流路を塞いだ閉状態と、この閉状態から９０度回転し、給気ダクト３０の内部の燃焼用空気の流路を開放した開状態との間で回転可能に配置される。ダンパ４０は、給気ダクト３０の内部に配置され所定の開度で開閉可能である。ダンパ４０は、閉状態（開度０°）から開状態（開度９０°）までの間で、開度を調整可能に構成される。ダンパ４０の開度により、給気ダクト内部の燃焼用空気の量が調整される。
【００１９】
燃料供給装置５０は、ガス供給ライン５１と、このガス供給ラインに設けられる調整弁５２及びノズル５３と、を備える。
ガス供給ライン５１は、給気ダクト３０におけるダンパ４０が配置された位置よりも下流側に接続され、給気ダクト３０に燃料ガスを供給する。
調整弁５２は、給気ダクト３０に供給される燃料ガスの流通量を調整する。
ノズル５３は、ガス供給ライン５１の先端部に配置され、給気ダクト３０に燃料ガスを噴出する。
【００２０】
排気筒６０は、排気口１７に接続される。排気筒６０は、缶体１０の内部で燃料ガスが燃焼して生じた燃焼ガスを排出する。
制御装置７０は、缶体１０への燃焼用空気の供給量及び燃料ガスの供給量を制御することで、ボイラ１の燃焼状態（燃焼率）を制御し、ボイラ１による蒸気の生成量を調整する。
蒸気圧センサ８０は、上部ヘッダ１４内の蒸気圧を検出し、検出結果を制御装置７０に出力する。
風圧センサ９０（圧力測定装置）は、給気ダクト３０内におけるダンパ４０の下流かつ圧力損失部３１の上流位置の風圧を検出し、検出結果を制御装置７０に出力する。
風圧センサ１００（圧力測定装置）は、給気ダクト３０内における圧力損失部３１の下流位置の風圧を検出し、検出結果を制御装置７０に出力する。
風圧センサ９０及び風圧センサ１００については、後に詳述する。
【００２１】
以上のボイラ１によれば、送風機２０により給気ダクト３０に送り込まれた燃焼用空気は、ガス供給ライン５１から供給された燃料ガスと混合され、燃料ガスと燃焼用空気との混合ガスがバーナ１５から缶体１０の内部に噴出され、燃焼される。そして、バーナ１５による混合ガスの燃焼に伴って発生する熱により、下部ヘッダ１３から複数の水管１２の内部に供給された水が加熱され、蒸気が生成される。複数の水管１２の内部において生成された蒸気は、上部ヘッダ１４に集合された後、蒸気導出管（図示せず）を介して外部に導出される。また、混合ガスの燃焼により生じた燃焼ガスは、排気筒６０から外部に排出される。
【００２２】
次に、制御装置７０によるボイラ１の燃焼状態の制御の詳細について説明する。
本実施形態では、ボイラ１は、燃焼率を連続的に変更可能な比例制御ボイラにより構成される。比例制御ボイラとは、少なくとも、最小燃焼状態（例えば、最大燃焼量の２０％の燃焼率における燃焼状態）から最大燃焼状態の範囲で、燃焼率が連続的に制御可能とされているボイラである。
【００２３】
本実施形態では、ボイラ１の燃焼停止状態と最小燃焼状態との間の燃焼率の変更は、ボイラ１（バーナ）の燃焼をオン／オフすることで制御される。そして、最小燃焼状態から最大燃焼状態の範囲においては、燃焼率が連続的に制御可能となっている。
尚、以下においては、燃焼率を２０％〜１００％の範囲で連続的に変更可能なボイラ１における燃焼状態の制御について説明する。
【００２４】
制御装置７０は、ボイラ１が蒸気を供給する負荷機器による蒸気の消費量に応じて、ボイラ１の燃焼率を変更し、蒸気の生成量を調整する。この制御装置７０は、制御部７１と、記憶部７２と、を備える。また、制御部７１は、圧力取得部７１ａを備える。
【００２５】
制御部７１は、インバータ２２に入力する周波数を増減させることで、送風機２０のファンの回転速度を増減させ、給気ダクト３０に送り込む燃焼用空気の量を制御する。また、制御部７１は、ダンパ４０の開度を制御することで、給気ダクト３０の内部をバーナ１５に向かって流れる燃焼用空気の量を制御する。更に、制御部７１は、調整弁５２の開度を制御することで、バーナ１５への燃料ガスの供給量を制御する。また、制御部７１は、燃焼用空気の供給量が燃焼率に応じて設定された許容範囲（例えば標準値から±２０％以内）を超えた場合に、ボイラ１を安全停止させる。
【００２６】
記憶部７２は、制御部７１の制御によりボイラ１に対して行われた指示の内容や、ボイラ１の燃焼状態等の情報、ボイラ１の燃焼状態（燃焼率）に応じたダンパ４０の開度、燃焼率と給気ダクト３０内における燃焼用空気の圧力差との関係を表す特性（燃焼率−圧力差特性）、インバータに入力する周波数及び調整弁５２の開度に関する設定の情報等を記憶する。
【００２７】
ここで、比例制御ボイラにおいては、最小燃焼状態から最大燃焼状態までの範囲において、安定的な燃焼状態を保ちつつ燃焼率を連続的に変更させるために、燃焼用空気の供給量及び燃料ガスの供給量についても連続的に変更させる必要がある。
燃料ガスの供給に関しては、燃焼用空気の供給量に応じて、制御部７１により調整弁５２の開度を調整することで、連続的な供給量の変更が可能となっている。
【００２８】
一方、燃焼用空気の供給に関しては、制御部７１により、蒸気圧センサ８０によって検出された上部ヘッダ１４内の蒸気圧に基づいて、燃焼用空気の供給量を決定する。
具体的には、制御部７１は、蒸気圧センサ８０によって検出された上部ヘッダ１４内の蒸気圧を取得し、この蒸気圧を目標圧力に制御するために必要な燃焼用空気の量を算出する。また、制御部７１は、算出した燃焼用空気の量に基づいて、インバータ２２に入力する周波数を増減させることで、送風機２０のファンの回転速度を増減させ、又はダンパ４０の開度を制御することで、給気ダクト３０に送り込む燃焼用空気の量を制御する。
【００２９】
また、燃焼用空気の供給に関して、給気ダクト３０から缶体１０に実際に供給される燃焼用空気の量は、負荷の変動等、種々の条件によって変化する。本実施形態に係るボイラ１においては、給気ダクト３０内における圧力損失部３１の上流側及び下流側の圧力差を燃焼用空気の実際の供給量を表す指標として用いている。
即ち、圧力取得部７１ａは、風圧センサ９０，１００の検出結果（圧力情報）を取得する。圧力取得部７１ａは、取得した風圧センサ９０，１００の検出結果（圧力情報）に基づいて、圧力値を算出する。本実施形態において、圧力取得部７１ａは、給気ダクト３０内における圧力損失部３１の上流側及び下流側に設置された風圧センサ９０，１００の検出結果を取得し、これらの差分（燃焼用空気の圧力差）を算出する。
制御部７１は、圧力取得部７１ａによって算出された燃焼用空気の圧力差が、燃焼率に対する標準値から許容範囲内（即ち、閾値として設定した下限値以上かつ上限値以下）であるか否かを判定する。制御部７１は、給気ダクト３０内における燃焼用空気の圧力差が許容範囲を超えていると判定した場合、燃料の供給及び燃焼用空気の供給を停止し、ボイラ１を安全停止させる。
【００３０】
続けて、図２から図４により、圧力測定装置である風圧センサ９０及び風圧センサ１００について説明する。図２は、図１における領域Ｘを説明する図である。図３は、一つの開孔を有する場合におけるダンパ開度とエア差圧との関係を示すグラフである。図４は、複数の開孔を有する場合におけるダンパ開度とエア差圧との関係を示すグラフである。
【００３１】
図２に示すように、風圧センサ９０（圧力測定装置）及び風圧センサ１００（圧力測定装置）は、内部に所定の開度で開閉可能なダンパ４０が配置された燃焼用空気（気体）が流通する給気ダクト３０におけるダンパ４０の下流側の気体の圧力を測定する。
【００３２】
本実施形態のボイラ１においては、給気ダクト３０内における圧力損失部３１の上流側及び下流側の圧力差（差圧）を燃焼用空気の実際の供給量を表す指標として用いている。そのため、風圧センサ９０、１００は、圧力損失部３１の上流側及び下流側にそれぞれ配置される。そして、圧力取得部７１ａにおいて、給気ダクト３０内における圧力損失部３１の上流側及び下流側に設置された風圧センサ９０，１００の検出結果より、これらの差分（燃焼用空気の圧力差）が算出される。
【００３３】
風圧センサ９０は、筒状部材９１と、筒状部材９１に形成される複数の開孔Ｒ１からＲ９と、圧力検出部９５と、を有する。風圧センサ９０は、給気ダクト３０内におけるダンパ４０の下流かつ圧力損失部３１の上流位置の風圧を検出し、検出結果を制御装置７０に出力する。
【００３４】
筒状部材９１は、先端９１ａ側が閉じられた筒状の部材である。筒状部材９１は、先端９１ａ側が閉じられた中空状の部材である。
筒状部材９１は、給気ダクト３０の延びる方向Ｄ（図２において上下方向）に直交する方向Ｐ（図２において左右方向）に挿入される。また、筒状部材９１は、給気ダクト３０の中心軸を通って挿入される。
【００３５】
複数の開孔Ｒ１からＲ９は、筒状部材９１の長手方向に所定間隔をあけて形成される。本実施形態において、複数の開孔Ｒ１からＲ９は、等間隔に形成される。複数の開孔Ｒ１からＲ９は、給気ダクト３０を流通する気体の一部を該筒状部材９１の内部に導入する。本実施形態では、複数の開孔Ｒ１からＲ９は、筒状部材９１の側面における給気ダクト３０の延びる方向（燃焼用空気の流れ方向）Ｄに対して９０°ずれた位置に形成される。
【００３６】
また、本実施形態において、筒状部材９１における複数の開孔Ｒ１からＲ９の位置は、後述する筒状部材１０１における複数の開孔Ｓ１からＳ９に対応する位置である。筒状部材９１における複数の開孔Ｒ１からＲ９の位置は、方向Ｐにおいて、筒状部材１０１における複数の開孔Ｓ１からＳ９と同じ位置である。
【００３７】
ここで、本実施形態において、複数の開孔Ｒ１からＲ９が形成されているが、これに限定されず、２以上の開孔が形成されていればよい。例えば、複数の開孔として、開孔Ｒ１から開孔Ｒ９のうち、２以上の開孔が形成されていればよい。また、複数の開孔は、ダクト３０の形状や、偏流の状態等、利用されるボイラの特徴に応じて設定できる。
【００３８】
圧力検出部９５は、筒状部材９１の基端９１ｂ側に接続される。圧力検出部９５は、複数の開孔Ｒ１からＲ９から該筒状部材９１の内部に導入された気体の圧力を検出する。そして、圧力検出部９５は、検出結果を制御装置７０に出力する。
【００３９】
上述と同様に、風圧センサ１００は、筒状部材１０１と、筒状部材１０１に形成される複数の開孔Ｓ１からＳ９と、圧力検出部１０５と、を有する。風圧センサ１００は、給気ダクト３０内におけるダンパ４０の下流かつ圧力損失部３１の下流位置の風圧を検出し、検出結果を制御装置７０に出力する。
【００４０】
筒状部材１０１は、先端１０１ａ側が閉じられた筒状の部材である。筒状部材１０１は、先端１０１ａ側が閉じられた中空状の部材である。
筒状部材１０１は、給気ダクト３０の延びる方向Ｄ（図２において上下方向）に直交する方向Ｐ（図２において左右方向）に挿入される。また、筒状部材１０１は、給気ダクト３０の中心軸を通って挿入される。
【００４１】
複数の開孔Ｓ１からＳ９は、筒状部材１０１の長手方向に所定間隔をあけて形成される。本実施形態において、複数の開孔Ｓ１からＳ９は、等間隔に形成される。複数の開孔Ｓ１からＳ９は、給気ダクト３０を流通する気体の一部を該筒状部材１０１の内部に導入する。本実施形態では、複数の開孔Ｓ１からＳ９は、筒状部材９１の側面における給気ダクト３０の延びる方向（燃焼用空気の流れ方向）Ｄに対して９０°ずれた位置に形成される。
【００４２】
また、本実施形態において、筒状部材１０１における複数の開孔Ｓ１からＳ９の位置は、前述の筒状部材９１における複数の開孔Ｒ１からＲ９に対応する位置である。筒状部材１０１における複数の開孔Ｓ１からＳ９の位置は、方向Ｐにおいて、筒状部材９１における複数の開孔Ｒ１からＲ９と同じ位置である。
【００４３】
ここで、本実施形態において、複数の開孔Ｓ１からＳ９が形成されているが、これに限定されず、上述と同様に、２以上の開孔が形成されていればよい。例えば、複数の開孔として、開孔Ｓ１から開孔Ｓ９のうち、２以上の開孔が形成されていればよい。また、複数の開孔は、ダクト３０の形状や、偏流の状態等、利用されるボイラの特徴に応じて設定できる。
【００４４】
圧力検出部１０５は、筒状部材１０１の基端１０１ｂ側に接続される。圧力検出部１０５は、複数の開孔Ｓ１からＳ９から該筒状部材１０１の内部に導入された気体の圧力を検出する。そして、圧力検出部１０５は、検出結果を制御装置７０に出力する。
【００４５】
続けて、図３及び図４により、開孔が一つの場合（比較例）と、開孔が２以上である場合（実施例）について、ダンパ４０の開度（ダンパ開度（°））と、差圧（ｋＰａ）との関係を説明する。
【００４６】
ここで、図３及び図４おいて、開孔位置１から９は、図２における開孔Ｒ１・Ｓ１からＲ９・Ｓ９の開孔位置を示す。例えば、開孔位置１は、風圧センサ９０においては開孔Ｒ１が形成され、風圧センサ１００においては開孔Ｓ１が形成されている場合を示す。また、開孔位置１・９は、風圧センサ９０においては開孔Ｒ１及び開孔Ｒ９が形成され、風圧センサ１００においては開孔Ｓ１及び開孔Ｓ９が形成されている場合を示す。また、推定真値とは、計算上の差圧値を示す。
【００４７】
図３に示すように、開孔が一つの場合、開孔位置１から９における差圧値は、各ダンパ開度で大きくばらついていることがわかる。特に、ダンパ開度が４０°を中心に２０°から６０°までは、差圧値は大きくばらついている。開孔位置により推定真値Ａからの差異の大きさは異なるが、いずれの開孔位置も推定真値Ａに近似しているとは言い難い。つまり、開孔が一つである場合、いずれの開孔位置においても差圧値が推定真値Ａに近似しているとは言い難い。
【００４８】
これに対し、図４に示すように、開孔が２つ以上の場合、組み合わせＣ１からＣ４における差圧値は、各ダンパ開度でばらつきが少ない。また、各組み合わせにおける差圧値は、推定真値Ａからの差異が小さい。
つまり、開孔を複数設けることで、差圧値は、推定真値Ａに近似した値になるといえる。また、複数の開孔の組み合わせを工夫することで、より好適な圧力測定が可能となることが分かる。
【００４９】
これにより、ボイラ１（圧力測定装置）は、ダクト内に生じる偏流の影響による圧力検出精度の低下を抑制できるといえる。ボイラ１（圧力測定装置）は、従来に比べて、圧力検出精度を向上させることができるといえる。
また、これにより、ボイラ１は、より適切な条件で運転可能となる。
【００５０】
以上説明した第１実施形態の圧力測定装置９０，１００及びボイラ１によれば、以下のような効果を奏する。
【００５１】
（１）圧力センサ９０，１００を、ダクト３０に挿入される筒状部材９１，１０１と、この筒状部材９１，１０１の長手方向に所定間隔をあけて形成される複数の開孔Ｒ１からＲ９，Ｓ１からＳ９と、を含んで構成した。これにより、ダンパ４０の径方向の複数の位置から圧力検出のための燃焼用空気の取り入れができるため、ダンパ４０の開度に起因して生じる燃焼用空気の偏流の影響を排除した圧力検出を可能とできる。よって、圧力検出精度を向上させられる。
【００５２】
（２）筒状部材９１，１０１をダクト３０の中心軸を通るように挿入し、複数の開孔Ｒ１からＲ９，Ｓ１からＳ９を等間隔に形成した。これにより、圧力検出のための燃焼用空気をダクト３０からより均等に取り入れられるので、圧力検出精度をより向上させられる。
【００５３】
以上、本発明のボイラの好ましい一実施形態について説明したが、本発明は、上述した実施形態に制限されるものではなく、適宜変更が可能である。
例えば、本実施形態では、ボイラ１は、差圧を測定するため、風圧センサ９０及び風圧センサ１００（２つの圧力測定装置）を備えているが、これに限定されない。
以下、図５及び図６により、第２実施形態のボイラ１Ａ及び第３実施形態のボイラ１Ｂについて説明する。図５は、第２実施形態におけるボイラを模式的に示す図である。図６は、第３実施形態におけるボイラを模式的に示す図である。
【００５４】
図５に示すように、第２実施形態のボイラ１Ａは、差圧ではなく単独圧により給気ダクト３０内の圧力を測定するため、一つの風圧センサ９０Ａを有する。この場合、簡易な構成で、給気ダクト３０内の圧力を高い精度で測定可能となる。
【００５５】
また、図６に示すように、第３実施形態のボイラ１Ｂは、差圧により給気ダクト３０内の圧力を測定するが、下流側の風圧センサ１００Ｂがボイラ筐体１１内に配置される。この場合、風圧センサ１００Ｂは、給気ダクト３０内に生じる偏流の影響を受けないので、複数の開孔を有する必要がない。ボイラ１Ｂにおいて、風圧センサ９０Ｂのみ複数の開孔を有するように構成される。
【００５６】
また、本実施形態では、複数の開孔Ｒ１からＲ９，Ｓ１からＳ９を、筒状部材９１の側面における燃焼用空気の流れ方向Ｄに対して９０°ずれた位置に形成したが、これに限らない。即ち、複数の開孔Ｒ１からＲ９，Ｓ１からＳ９を、筒状部材９１の側面における燃焼用空気の流れ方向Ｄに向かい合う位置に形成してもよい。
【符号の説明】
【００５７】
１      ボイラ
３０    給気ダクト
３１    圧力損失部
７１ａ  圧力取得部
９０    風圧センサ（圧力測定装置）
９１    筒状部材
９５    圧力検出部
１００  風圧センサ（圧力測定装置）
１０１  筒状部材
１０５  圧力検出部
Ｒ１〜Ｒ９  開孔
Ｓ１〜Ｓ９  開孔
【図１】
2015102262.tif 000003
【図２】
2015102262.tif 000004
【図３】
2015102262.tif 000005
【図４】
2015102262.tif 000006
【図５】
2015102262.tif 000007
【図６】
2015102262.tif 000008